(57)【特許請求の範囲】
【請求項１】
撮影者を判定する撮影者判定部と、
撮影画像に含まれる対象物を判定する対象物判定部と、
前記撮影者と前記対象物との両方が含まれる画像の情報を検索する検索部と、
前記検索部が行った検索結果に基づいて前記撮影者と前記対象物との両方が含まれる画像の取得を勧める支援情報の提示を行う支援部と、
を具備することを特徴とする撮影支援装置。
【請求項２】
前記対象物は人物であり、
前記撮影者判定部は、前記撮影者を含む画像における顔検出によって前記撮影者を判定し、
前記対象物判定部は、前記人物を含む画像における顔検出によって当該人物の顔が対象物の顔部であると判定する、
ことを特徴とする請求項１に記載の撮影支援装置。
【請求項３】
前記撮影者と前記対象物との両方が含まれる画像についての撮影日時と前記撮影者と前記対象物とを示す情報が記録される記録部をさらに具備し、
前記検索部は、前記記録部に記録された情報から前記撮影者と前記対象物との両方が含まれる画像の情報を検索する、
ことを特徴とする請求項１又は２に記載の撮影支援装置。
【請求項４】
前記検索部は、前記撮影者と前記対象物との両方が含まれる画像についての撮影日時と前記撮影者と前記対象物とを示す情報が記録される当該撮影支援装置の外部に設けられた記録部に対してネットワークを介して通信し、前記記録部に記録された情報から前記撮影者と前記対象物との両方が含まれる画像の情報を検索することを特徴とする請求項１又は２に記載の撮影支援装置。
【請求項５】
全方位の撮影領域を撮影する撮影部を有し、前記全方位の画像のうち、一部の方向の画像を切り出して、前記撮影者と前記対象物とを含む画像を取得することを特徴とする請求項１乃至４のうち何れか１項に記載の撮影支援装置。
【請求項６】
前記撮影者を含む画像を取得する第１の撮影部と、前記対象物の画像を取得する第２の撮影部とをさらに具備することを特徴とする請求項１乃至４のうち何れか１項に記載の撮影支援装置。
【請求項７】
画像を取得する撮影部と、
前記撮影部によって前記撮影者が自分自身を撮影する自分撮りモードと、前記撮影部によって前記対象物を撮影する通常撮影モードとのうち何れのモードであるかを検出する撮影モード検出部とをさらに具備し、
前記撮影者判定部は、前記自分撮りモードで撮影された画像に含まれる人物を前記撮影者であると識別し、
前記対象物判定部は、前記通常撮影モードで撮影された画像に含まれる被写体を前記対象物であると識別する、
ことを特徴とする請求項１乃至４のうち何れか１項に記載の撮影支援装置。
【請求項８】
請求項１に記載の撮影支援装置と、
撮影者を含む画像と対象物の画像とを取得する撮影機器と、
を具備することを特徴とする撮影支援システム。
【請求項９】
前記撮影支援装置は、当該撮影支援装置の外部に設けられ、前記撮影者と前記対象物との両方が含まれる画像についての撮影日時と前記撮影者と前記対象物とを示す情報が記録された記録部とネットワークを介して通信し、
前記検索部は、前記記録部に記録された情報から前記撮影者と前記対象物との両方が含まれる画像の情報を検索することを特徴とする請求項８に記載の撮影支援システム。
【請求項１０】
撮影者を判定することと、
撮影画像に含まれる対象物を判定することと、
前記撮影者と前記対象物との両方が含まれる画像の情報を検索することと、
前記検索の結果に基づいて前記撮影者と前記対象物との両方が含まれる画像の取得を勧める支援情報の提示を行うことと、
を含むことを特徴とする撮影支援方法。
【請求項１１】
コンピュータに、
撮影者を判定する撮影者判定機能と、
撮影画像に含まれる対象物を判定する対象物判定機能と、
前記撮影者と前記対象物との両方が含まれる画像の情報を検索する検索機能と、
前記検索機能による検索結果に基づいて前記撮影者と前記対象物との両方が含まれる画像の取得を勧める支援情報の提示を行う支援機能と、
を実現させる撮影支援プログラム。
【発明の詳細な説明】
【技術分野】
【０００１】
本発明は、例えば被撮影者と撮影者とが最近一緒に撮影されていなければ、被撮影者と撮影者とが一緒に撮影されることを勧める撮影支援装置、撮影支援システム、撮影支援方法及び撮影支援プログラムに関する。
【背景技術】
【０００２】
カメラ等の撮影装置のユーザは、例えば家族又は友人等と共に旅行に出かけると、その旅行先の観光地等において、撮影装置を操作して家族又は友人等と共に記念の写真撮影を行うことが多い。ユーザは、旅行に限らず、遊園地等の施設に出かけたり、各種イベントに出かけたときも、家族又は友人等と記念の写真撮影を行うことがある。このような写真撮影では、ユーザは、家族又は友人等と一緒に写真撮影されるものである。又、ユーザは、旅行先の観光地や遊園地等の施設、各種イベントにおいても、当該施設等において一人で写真撮影されることもある。撮影者が家族又は友人等や観光地の景色等を撮影することに夢中になり、撮影者自身が写真に写っていないということは、しばしば起こることである。
【０００３】
特許文献１は、現在地情報を取得し、この現在地情報をサーバに送信し、このサーバから現在地付近から撮影可能な撮影対象と該撮影対象を撮影するための現在地付近の好適な撮影ポイントを含む撮影支援情報を取得し、この撮影支援情報を提示することを開示する。
【先行技術文献】
【特許文献】
【０００４】
【特許文献１】特開２００５−４５３９８号公報
【発明の概要】
【発明が解決しようとする課題】
【０００５】
特許文献１は、現在地付近から撮影可能な撮影対象と、この撮影対象を撮影するための現在地付近の好適な撮影ポイントとを提示するが、以前に、ユーザがその家族又は友人等と共に一緒に写真撮影したことがあることをユーザにアドバイスしてくれるような機能を備えるものではない。
【０００６】
本発明は、ユーザが家族又は友人等や風景と共に一緒に写真に写ることを勧める支援情報を提示する撮影支援装置、撮影支援システム、撮影支援方法及び撮影支援プログラムを提供することを目的とする。
【課題を解決するための手段】
【０００７】
本発明に係る撮影支援装置は、撮影者を判定する撮影者判定部と、撮影画像に含まれる対象物を判定する対象物判定部と、前記撮影者と前記対象物との両方が含まれる画像の情報を検索する検索部と、前記検索部が行った検索結果に基づいて前記撮影者と前記対象物との両方が含まれる画像の取得を勧める支援情報の提示を行う支援部とを具備する。
【０００８】
本発明に係る撮影支援システムは、前記撮影支援装置と、撮影者を含む画像と対象物の画像とを取得する撮影機器とを具備する。
【０００９】
本発明に係る撮影支援方法は、撮影者を判定することと、撮影画像に含まれる対象物を判定することと、前記撮影者と前記対象物との両方が含まれる画像の情報を検索することと、前記検索の結果に基づいて前記撮影者と前記対象物との両方が含まれる画像の取得を勧める支援情報の提示を行うこととを含む。
【００１０】
本発明に係る撮影支援プログラムは、コンピュータに、撮影者を判定する撮影者判定機能と、撮影画像に含まれる対象物を判定する対象物判定機能と、前記撮影者と前記対象物との両方が含まれる画像の情報を検索する検索機能と、前記検索機能による検索結果に基づいて前記撮影者と前記対象物との両方が含まれる画像の取得を勧める支援情報の提示を行う支援機能とを実現させる。
【発明の効果】
【００１１】
本発明によれば、ユーザが家族又は友人等や風景と共に一緒に写真に写ることを勧める支援情報を提示する撮影支援装置、撮影支援システム、撮影支援方法及び撮影支援プログラムを提供できる。
【図面の簡単な説明】
【００１２】
【図１】図１は、本発明に係る撮影支援装置の第１の実施の形態を示すブロック構成図である。
【図２Ａ】図２Ａは、同装置に設けられた撮影部を示す撮影支援装置の外観図である。
【図２Ｂ】図２Ｂは、同装置における撮影部の光学系を示す構成図である。
【図３】図３は、同装置におけるカメラ制御フローチャートである。
【図４】図４は、本発明に係る撮影支援装置の第２の実施の形態を示すブロック構成図である。
【図５Ａ】図５Ａは、同装置の通常撮影モードにおける状態を示す図である。
【図５Ｂ】図５Ｂは、同装置の通常撮影モードから自分撮りモードへの切り換えを示す図である。
【図５Ｃ】図５Ｃは、同装置の自分撮りモードにおける状態を示す図である。
【図６】図６は、同装置におけるカメラ制御フローチャートである。
【図７】図７は、本発明に係る撮影支援システムの第３の実施の形態を示すブロック構成図である。
【図８Ａ】図８Ａは、同システムを示す正面図である。
【図８Ｂ】図８Ｂは、同システムを示す背面図である。
【図９】図９は、同システムのカメラ制御フローチャートである。
【図１０】図１０は、同システムの端末制御フローチャートである。
【図１１】図１１は、同システムのレンズ型カメラにより取得されたスルー画像が端末装置のディスプレイに表示されたところを示す図である。
【図１２】図１２は、同システムによる一緒に撮影することの支援の表示を示す図である。
【図１３】図１３は、同システムによる撮影者及び被撮影者による撮影状況の一例を示す図である。
【発明を実施するための形態】
【００１３】
［第１の実施の形態］  
以下、本発明の第１の実施の形態について図面を参照して説明する。  
図１は撮影支援装置を適用した撮影装置（以下、本装置と称する）１のブロック構成図を示す。図２Ａ及び図２Ｂは本装置１における撮影部２の具体的な構成図を示すもので、図２Ａは本装置１に設けられた撮影部２を示し、図２Ｂは撮影部２の光学系の構成図を示す。  
この撮影装置１は、撮影部２と、カメラ制御部３と、表示部４と、操作部５と、プログラム格納部６と、記録部７とを有する。このうちカメラ制御部３には、撮影部２と、表示部４と、操作部５と、プログラム格納部６と、記録部７とが接続されている。
【００１４】
なお、本装置１では、撮影部２は、図２Ａに示すように本装置１の本体の上面に設けられている。この撮影部２は、図２Ｂに示すように撮像光学系２０と、撮像素子２１とを有する。これら撮像光学系２０と撮像素子２１とは、同一光軸上に設けられている。撮像光学系２０は、例えば複数枚のレンズから成り、水平方向の略３６０°の全方位に亘る被写体からの光を撮像素子２１へと導き、ドーナツ形に被写体像を結像させる。又、撮像光学系２０は、ドーナツ形（無端の帯状に形成された輪状の形状）に被写体像を結像させると共に、天頂方向の被写体からの光を撮像素子２１へと導き、上述のドーナツ形の被写体像の中空部に円形状に被写体像を結像させる。このようにして、撮像光学系２０は、全方位の被写体像を撮像素子２１に結像させる。図２Ｂには被写体から撮像素子２１に至る光路Ｐの一例が示されている。
【００１５】
なお、撮影部２による撮影領域は、略３６０°の全方位に亘る帯状の撮影領域に限るものでなく、又厳密に全方位である必要もない。魚眼レンズ又は広角レンズでも使い方によっては、全方位の撮影が可能である。本実施の形態では、厳密な全方位の撮影領域は勿論のこと、上述のドーナツ形の帯状の撮影領域であっても全方位の撮影領域として説明する。
【００１６】
撮影部２は、例えば、上述のドーナツ形に結像された水平方向の略３６０°（以下、全方位と称する）の被写体の像に係る画像信号を出力する。本装置１は、この画像信号に基づいて、例えばパノラマ画像を作成する。また、本装置１は、この画像信号に基づいて、全方位のうち、一部の方向の画像を切り出して、画像を作成する。
【００１７】
図２Ａに示すように、本装置１において、表示部４が設けられた面を背面とする。又、本装置１では、例えば図２Ａに示すように表示部４が設けられた背面側にＢ方向を設定し、当該Ｂ方向の反対側にＦ方向を設定する。撮影者（ユーザ）Ｔが本装置１を操作して被撮影者（友人等）Ｑを撮影する場合、撮影者Ｔは、本装置１の背面側である主にＢ方向を含む所定の角度範囲内に存在し、被撮影者Ｑは、撮影者Ｔが存在する所定の角度範囲外に存在するものとなる。なお、被撮影者Ｑは、所定の角度範囲外の主にＦ方向に存在することが多い。例えば本装置１は、Ｆ方向を含む所定の範囲内の画像を取得することにより、被撮影者Ｑが写った写真を取得する。
【００１８】
本装置１により撮影される被撮影者Ｑは、例えば本装置１のユーザの友人である。被撮影者Ｑは、ユーザの友人に限らず、家族等であってもよいし、又は被撮影者Ｑに代えて風景等を対象物としてもよい。
【００１９】
表示部４は、ライブビュー画像の表示、又は撮影によって取得された画像等を表示するもので、例えば液晶ディスプレイや有機ＥＬディスプレイなどから成る。  
操作部５は、撮影者Ｔによって手動操作される各種の操作部材、例えば被写体に対するピント調整を行う操作部材と、被写体の明るさを調整するための絞りに対する操作を行う操作部材とを備える。さらに、操作部５は、操作部材としてレリーズボタンと、動画ボタンと、モードダイヤルと、選択キーと、電源ボタン等を備える。この操作部５は、これら操作部材に対する操作を判定してその操作判定信号をカメラ制御部３に送る。
【００２０】
プログラム格納部６には、写真撮影の支援を行うための撮影支援プログラムが格納されている。この撮影支援は、現時点よりも以前（過去に）に、撮影者Ｔが被撮影者Ｑと一緒に、又は撮影者Ｔが一人で所定の風景を背景として写真撮影したことがあるが、最近は被撮影者Ｑと一緒に、又は当該風景を背景として写真撮影をしていないことをアドバイスするものである。この撮影支援プログラムは、コンピュータから成るカメラ制御部３に、撮影者Ｔを含む画像に基づいて撮影者Ｔを識別する撮影者判定機能と、被写体の画像に含まれる被撮影者Ｑを識別する対象物判定機能と、撮影者Ｔと被撮影者Ｑとの両方が含まれる画像の情報を検索する検索機能と、検索機能による検索結果に基づいて、現在から遡って所定の期間内に取得された撮影者Ｔと被撮影者Ｑとの両方が含まれる画像が見つからなかったとき、撮影者Ｔと被撮影者Ｑとの両方が含まれる画像の取得を勧める支援情報の提示を行う支援機能とを実現させる。
【００２１】
記録部７には、本装置１の撮影により取得された画像が記録される。又、記録部７には、被写体の情報が記録される被写体データベース（被写体ＤＢ）７０が形成されている。この被写体データベース７０には、撮影者Ｔの欄７１と、被撮影者Ｑを含む対象物の欄７２と、撮影日付の欄７３とが含まれる。なお、これら撮影者Ｔの欄７１と、対象物の欄７２と、撮影日付の欄７３とは、レコードＮｏ．「１」「２」「３」・・・ごとに記録される。  
撮影者Ｔの欄７１には、撮影者Ｔを示す情報、例えば撮影者Ｔとして第１の撮影者Ｔ１、又は第２の撮影者Ｔ２等が記録される。第１の撮影者Ｔ１と第２の撮影者Ｔ２とは、互いに別人であり、ここでは撮影者Ｔは、第１の撮影者Ｔ１と第２の撮影者Ｔ２とが存在したことを示す。なお、撮影者Ｔは、２人の第１と第２の撮影者Ｔ１、Ｔ２に限らず、３人以上の撮影者が存在することもあり得る。又、撮影者Ｔは、第１の撮影者Ｔ１、第２の撮影者Ｔ２等を含むものとする。  
又、撮影者Ｔの欄７１には、第１又は第２の撮影者Ｔ１、Ｔ２等の顔部の各画像データが記録される。
【００２２】
対象物の欄７２には、被撮影者Ｑを示す情報、例えば被撮影者Ｑとして第１の被撮影者Ｑ１、第２の被撮影者Ｑ２等が記録される。又、対象物の欄７２には、第１の被撮影者Ｑ１、第２の被撮影者Ｑ２等の顔部の各画像データが記録される。例えば撮影者Ｔ１と友人である被撮影者Ｑ１とが一緒に写真に写っているとき、レコードＮｏ．「１」に示すように、対象物の欄７２には、Ｔ１及びＱ１が記録される。  
この対象物の欄７２には、被撮影者Ｑの情報に限らず、例えば撮影者Ｔが自分一人で全方位撮影をして画像データを取得した場合には、当該撮影者Ｔの背景画像、例えば風景等が記録される。又、この対象物の欄７２には、これらただ単に風景等の画像が記録される場合もある。なお、被撮影者Ｑは、第１の被撮影者Ｑ１、第２の被撮影者Ｑ２等を含むものとする。
【００２３】
撮影日付の欄７３には、撮影者Ｔの欄７１に記録されている画像の撮影日時を示す情報、又は対象物の欄７２に記録されている画像の撮影日時を示す情報、例えば撮影日時「○年○月○日」が記録される。  
このような被写体データベース７０は、撮影者Ｔの欄７１と、対象物の欄７２と、撮影日付の欄７３とがリスト化されて撮影者Ｔと、対象物と、撮影日付とが記録される。例えば、レコード「１」には、撮影者Ｔ１と被撮影者Ｑ１との２人が画像に写り、かつ当該画像の撮影日時が「○年○月○日」であることが記録されている。
【００２４】
カメラ制御部３は、本装置１の全体を制御するもので、撮影制御部３１と、表示制御部３２と、操作制御部３３と、被写体抽出部３４と、記録検索部３５と、支援部３６とを有する。  
撮影制御部３１は、撮影部２を駆動制御し、この撮影部２から出力される全方位撮影の画像データに対してホワイトバランス補正やガンマ補正などの画像処理を施し、例えば撮影前のライブビューの画像信号を出力したり、又はレリーズボタンが押し操作されたときの撮影画像の画像信号を出力する。
【００２５】
表示制御部３２は、撮影制御部３１の画像処理された画像信号を表示部４での表示に適した画像信号に変換して表示部４に送る。これにより、表示部４には、ライブビューの画像が表示されたり、又は撮影画像が表示される。
【００２６】
操作制御部３３は、操作部５から出力される操作判定信号を取得し、当該操作判定信号に従った制御信号を撮影制御部３１、表示制御部３２、操作制御部３３、被写体抽出部３４、記録検索部３５、又は支援部３６に送る。例えば、この操作制御部３３は、例えば操作部５から被写体に対するピント調整の操作信号、又は被写体の明るさを調整する絞りの操作信号を取得すると、当該操作信号に応じた制御信号を撮影制御部３１に送る。この操作制御部３３は、表示部４に表示される画像の明るさを調整する操作信号であれば、当該操作の制御信号を表示制御部３２に送る。
【００２７】
被写体抽出部３４は、撮影部２によって撮影される撮影領域内、ここでは撮影部２から出力される全方位撮影の画像データに基づく画像からトリミングされた記録画像内に含まれている被撮影者Ｑ、又は当該被撮影者Ｑ及び撮影者Ｔ等を抽出する。この被写体抽出部３４は、顔認識部３４ａと、撮影者判定部３４ｂと、対象物判定部３４ｃとを有する。  
顔認識部３４ａは、撮影部２から出力される全方位撮影の画像データ内に対して人物の顔認識を行い、この顔認識によって人物の顔部の存在を認識すると、当該顔部の画像データを全方位撮影の画像データから抽出する。当該顔部の画像データの抽出では、複数の顔部を認識すると、これら顔部の画像データを全て抽出する。
【００２８】
この被写体抽出部３４は、図２Ａに示すように撮影者Ｔが本装置１の背面側である主にＢ方向を含む所定の角度範囲（以下、本装置１の背面側と称する）に存在し、被撮影者Ｑが撮影者Ｔとは反対側であるＦ方向を含む所定の角度範囲（以下、本装置１の正面側と称する）に存在するものとして、撮影者Ｔ及び風景等の対象物を認識する。  
従って、撮影者判定部３４ｂは、撮影部２から出力される全方位撮影の画像データにおいて、人物の顔部が認識された位置が全方位撮影の画像データのうち本装置１の背面側であるのか否かを判定し、この判定の結果、本装置１の背面側であれば、人物の顔部が撮影者の顔部であると判定する。
【００２９】
対象物判定部３４ｃは、撮影部２から出力される全方位撮影の画像データにおいて、人物の顔部が認識された位置が全方位撮影の画像データのうち本装置１の正面側であるのか否かを判定し、この判定の結果、本装置１の正面側であれば、人物の顔部が対象物の顔部であることを判定する。なお、この対象物判定部３４ｃは、被撮影者Ｑの顔部を判定するのに限らず、風景、又は花等を対象物として判定してもよい。
【００３０】
なお、撮影者判定部３４ｂにより人物の顔部が撮影者Ｔの顔部であると判定され、又、対象物判定部３４ｃにより人物の顔部が被撮影者Ｑの顔部であると判定された後、上記顔認識部３４ａは、撮影者Ｔの顔部と被撮影者Ｑの顔部との顔認識を行い、これら撮影者Ｔと被撮影者Ｑとの各顔部との各特徴、例えば眼部、鼻部、口部等の特徴を認識し、これら認識の結果から例えば複数人の撮影者Ｔと被撮影者Ｑ、例えば複数の撮影者Ｔ１、Ｔ２等と、複数の被撮影者Ｑ１、Ｑ２等とを認識する。この顔認識部３４ａは、当該認識した複数の撮影者Ｔ１、Ｔ２等と、複数の被撮影者Ｑ１、Ｑ２等とに係る情報を被写体データベース７０に記録する。
【００３１】
記録検索部３５は、被写体抽出部３４により抽出された撮影者Ｔ及び被撮影者Ｑを取得し、これら撮影者Ｔ及び被撮影者Ｑを共に含むレコードを被写体データベース７０から検索する。記録検索部３５は、検索結果に基づいて、検索結果の画像が撮影された撮影日時を取得する。例えば撮影者Ｔが撮影者Ｔ１であり、被撮影者Ｑが被撮影者Ｑ１であるとき、これら撮影者Ｔ１及び被撮影者Ｑ１が共に記録されているレコードとして、レコード「１」を被写体データベース７０から検索し、かつこれら撮影者Ｔ１及び被撮影者Ｑ１が共に撮影された撮影日時「○年○月○日」を取得する。これにより、記録検索部３５は、撮影日時「○年○月○日」に撮影者Ｔ１及び被撮影者Ｑ１が一緒に撮影されている画像が記録されていると判定する。
【００３２】
支援部３６は、記録検索部３５の検索結果、例えば被写体データベース７０に記録されていると判定された画像中の撮影者Ｔ１と対象物である撮影者Ｔ１及び被撮影者Ｑ１とその撮影日時「○年○月○日」とを取得すると、当該撮影日時「○年○月○日」に基づいて、所定の条件に該当する場合、例えば現在から遡って所定期間内に撮影者Ｔ１と被撮影者Ｑ１との両方が含まれる画像の情報が検索されると、撮影者Ｔ１及び被撮影者Ｑ１が再度一緒に撮影することを勧める支援情報を表示部４に表示する。なお、この支援情報は、音声により発せられてもよい。  
この再度の撮影を勧める支援情報の表示は、撮影者Ｔ１及び被撮影者Ｑ１の撮影日時「○年○月○日」から現時点までの経過時間に基づいて行うか、又は行わないのかが判定される。現時点までの経過時間は、任意に設定可能であり、例えば１年以上である。
【００３３】
次に、上記の如く構成された装置の動作について図３に示すカメラ制御フローチャートに従って説明する。  
カメラ制御部３は、ステップＳ１０１において、電源がオン（ＯＮ）であるか否かを判定する。この判定の結果、電源がオンでなければ、カメラ制御部３は、ステップＳ１１３において、スタンバイ状態になる。その後、カメラ制御部３は、ステップＳ１０１に戻る。すなわち、カメラ制御部３は、電源がオンになるまで、スタンバイの状態を繰り返す。電源がオンであるとき、カメラ制御部３は、ステップＳ１０２において、撮影モードに設定されているか否かを判定する。
【００３４】
上記判定の結果、撮影モードに設定されていないと、カメラ制御部３は、ステップＳ１１４において、他のモードの処理を実行する。ここでは、他のモードの処理とは、例えば記録されている画像を再生する再生モード等である。他のモードの処理については、その説明を省略する。ステップＳ１１４の後、処理はステップＳ１０１に戻る。
【００３５】
一方、撮影モードに設定されていると、カメラ制御部３は、ステップＳ１０３において、スルー画像を取得し、ステップＳ１０４において、当該スルー画像を表示部４に表示させる。具体的に、スルー画像の表示では、撮影部２は、撮影制御部３１の駆動制御によって被写体からの光像を電気的信号に変換し、全方位の画像データを出力する。撮影制御部３１は、撮影部２から出力される全方位撮影の画像データを取得し、この画像データに対してホワイトバランス補正やガンマ補正などの画像処理を施し、適宜にトリミングを行い、ライブビューの画像信号を出力する。表示制御部３２は、撮影制御部３１から出力されたライブビューの画像信号を取得し、この画像信号を表示部４での表示に適した画像信号に変換して表示部４に送る。これにより、表示部４には、ライブビューの画像が表示される。
【００３６】
顔認識部３４ａは、撮影部２から出力される全方位撮影の画像データ内から人物の顔部を認識し、当該顔部の画像データを抽出する。この顔部の画像データの抽出では、画像データ内に複数の顔部が存在すると、これら顔部の全ての画像データを抽出する。
【００３７】
撮影者判定部３４ｂは、ステップＳ１０５において、全方位撮影の画像データにおいて、人物の顔部が認識された位置が全方位撮影の画像データのうち本装置１の背面側であるのか否かを判定する。この判定の結果、人物の顔部が認識された位置が本装置１の背面側であれば、撮影者判定部３４ｂは、当該人物の顔部が撮影者Ｔの顔部であると判定する。
一方、対象物判定部３４ｃは、ステップＳ１０６において、人物の顔部が認識された位置が本装置１の正面側であるのか否かを判定する。この判定の結果、人物の顔部が認識された位置が本装置１の正面側であれば、対象物判定部３４ｃは、当該人物の顔部が対象物の顔部であると判定する。
【００３８】
又、顔認識部３４ａは、撮影者Ｔの顔部と対象物である被撮影者Ｑの顔部とに対して顔認識を行い、これら撮影者Ｔの顔部と被撮影者Ｑの顔部との各特徴、例えば眼部、鼻部、口部等の特徴を認識し、当該認識結果から例えば撮影者Ｔ（Ｔ１）として認識すると共に、被撮影者Ｑ（Ｑ１）として認識する。
【００３９】
記録検索部３５は、ステップＳ１０７において、被写体抽出部３４により抽出された例えば撮影者Ｔ１及び被撮影者Ｑ１を取得し、これら撮影者Ｔ１及び被撮影者Ｑ１が共に対象物として記録されているレコードを被写体データベース７０から検索する。ここでは記録検索部３５は、レコード「１」を被写体データベース７０から抽出し、かつこれら撮影者Ｔ１及び被撮影者Ｑ１が共に撮影された撮影日時「○年○月○日」を取得する。この検索の結果、記録検索部３５は、撮影日時「○年○月○日」に撮影者Ｔ１及び被撮影者Ｑ１が一緒に撮影されている画像が既に記録されていると判定する。
【００４０】
支援部３６は、ステップＳ１０８において、記録検索部３５の検索結果、例えば被写体データベース７０に既に記録されていると判定された画像中の撮影者Ｔ１及び被撮影者Ｑ１とその撮影日時「○年○月○日」とを取得すると、当該撮影日時「○年○月○日」から現時点までの経過時間が所定の時間以上であるか、例えば１年以上経過しているかを判定する。判定の結果、１年以上経過していないと判定されたとき、カメラ制御部３は、ステップＳ１１０に進む。  
一方、この判定の結果、例えば１年以上経過していると、支援部３６は、ステップＳ１０９において、撮影者Ｔ１及び被撮影者Ｑ１が再度、一緒に並んで撮影することを勧める支援情報を表示部４に表示させる。なお、この支援情報は、音声により発せられてもよい。
【００４１】
カメラ制御部３は、ステップＳ１１０において、撮影者Ｔが操作部５のレリーズボタンを操作したか否か、すなわち撮影操作が行われたか否かを判定する。撮影操作が行われていないと判定されると、カメラ制御部３は、ステップＳ１０１に戻る。  
一方、この判定の結果、レリーズボタンが操作されると、カメラ制御部３は、ステップＳ１１１において、撮影動作を行う。すなわち、撮影部２からは、被写体からの光像に対応する全方位の画像データを出力する。撮影制御部３１は、ステップＳ１１２において、撮影部２から出力される全方位の画像データに対してホワイトバランス補正やガンマ補正などの画像処理を施し、適宜にトリミングを行い、レリーズボタンが操作された時点での画像処理の施された画像データを記録部７に記録する。
【００４２】
この撮影制御部３１は、画像データを記録部７に記録するとき、被写体データベース７０に新たなレコードを作成し、当該画像データに含まれる撮影者Ｔ１を被写体データベース７０の撮影者Ｔの欄７１に記録し、被撮影者Ｑ１を同リストの対象物の欄７２に記録し、かつ当該画像データの撮影日時を同リストの撮影日付の欄７３に記録する。  
なお、記録部７に記録された画像データによる画像は、表示制御部３２によって表示部４に表示される。
【００４３】
このように上記第１の実施の形態によれば、被撮影者Ｑと撮影者Ｔとの両者が含まれる画像の撮影日時を取得し、最近の撮影から所定の期間以上経過しているときは、被撮影者Ｑと撮影者Ｔとの両者が並んで一緒に写真に写ることが勧められる。これにより、被撮影者Ｑと撮影者Ｔとが長らく並んで一緒に写真を撮られていないという状況が起こることが避けられる。このように、被撮影者Ｑと撮影者Ｔとの両者が並んで一緒に写真に写ることを勧める支援情報によって、ユーザである撮影者Ｔに対して被撮影者Ｑと一緒に最近写真に写っていないということを気かさせることができる。また、撮影者Ｔは、機械である撮影装置１による判断、すなわち事実に基づく、客観的、一般的なデータに基づく判断に後押しされるため、被撮影者Ｑと一緒に写真に写るための行動をするにあたり、心理的な障壁を超えやすい。
［第２の実施の形態］  
次に、本発明の第２の実施の形態について図面を参照して説明する。なお、図１と同一部分には同一符号を付してその詳しい説明は省略する。  
図４は撮影支援装置を適用した撮影装置（本装置）１のブロック構成図を示す。図５Ａは、本装置１の外観の概略を示す。本装置１は、撮影部２が本装置１の本体（以下、装置本体と称する）１ａの正面に設けられている。この撮影部２には、上記全方位に亘る帯状の撮影領域を持つレンズに代わって標準レンズが設けられている。  
又、本装置１は、撮影者自身を撮影の対象とする自分撮りモードを有する。図５Ａ乃至図５Ｃは撮影モードと自分撮りモードとの切り換えを示すもので、図５Ａは通常撮影モードに設定された状態を示し、図５Ｂ及び図５Ｃは自分撮りモードに設定された状態を示す。装置本体１ａには、表示部４が図５Ｂに示す矢印Ｈ方向に回転自在に設けられている。なお、この表示部４と装置本体１ａとは、装置本体１ａの一側部に設けられたヒンジ１ａａによって支持されている。このような撮影者自身が撮影しながらそれを確認できる構造を持っている撮影機器であれば、このような機能を使いこなす機会を増やすことで、ユーザの満足度を向上させることが可能である。そこで、図５Ｃのような撮影を促すような工夫は、顧客満足度を向上させる意味でも重要である。
【００４４】
表示部４には、撮影モード検出部８０が設けられている。この撮影モード検出部８０は、通常撮影モードと自分撮りモードとの切り換えの検出を行い、当該切り換えられた通常撮影モード又は自分撮りモードを示すモード信号をカメラ制御部３に送る。撮影モード検出部８０は、装置本体１ａに対する表示部４の回転角度を検出する角度センサを備え、この角度センサにより検出される表示部４の回転角度に応じて表示部４が図５Ａに示すように装置本体１ａの背面側に重ね合わされた状態にあるのか、又は図５Ｃに示すように装置本体１ａに対して展開した状態にあるのかを判定し、この判定結果に応じて通常撮影モード信号又は自分撮りモード信号をカメラ制御部３に送る。  
撮影モード検出部８０は、表示部４が矢印Ｈ方向に回転し、例えば図５Ａに示すように装置本体１ａの背面側に重ね合わされた配置状態を検出すると、当該配置状態を通常撮影モードとして検出し、その撮影モード信号をカメラ制御部３に送る。当該通常撮影モードでは、表示部４は、装置本体１ａの背面側に設けられ、背面側のＢ方向に向いて設けられる。
【００４５】
又、撮影モード検出部８０は、上記同様に、表示部４が矢印Ｈ方向に回転し、例えば図５Ｃに示すように装置本体１ａに対して展開した配置状態を検出すると、当該配置状態を自分撮りモードとして検出してその自分撮りモード信号をカメラ制御部３に送る。当該自分撮りモードでは、表示部４は、装置本体１ａの正面側に設けられ、当該正面側のＦ方向に向いて設けられる。
【００４６】
被写体データベース７０には、モード欄７４が形成されている。このモード欄７４には、本装置１に設定されているモード、例えば通常撮影モード又は自分撮りモードが記憶される。
【００４７】
カメラ制御部３は、撮影モード検出部８０から送られてくる通常撮影モード信号又は自分撮りモード信号を取得する。通常撮影モード信号が入力されたとき、撮影制御部３１と、表示制御部３２と、操作制御部３３と、被写体抽出部３４と、記録検索部３５と、支援部３６とにおいて上記第１の実施の形態と同様の動作が行われる。
【００４８】
撮影者判定部３４ｂは、自分撮りモード信号が入力されると、撮影部２から出力され、撮影制御部３１により画像処理された画像データ中に写っている人物が１人であるとき、写っているその顔部が撮影者Ｔの顔部であると判定する。従って、この撮影者判定部３４ｂは、上記第１の実施の形態のように、人物の顔部が認識された位置が画像データのうち本装置１の背面側であるのか否かを判定し、この判定の結果に応じて人物の顔部が撮影者Ｔの顔部であると判定することがない。  
又、この撮影者判定部３４ｂは、自分撮りモード信号が入力され、人物が１人であると、被写体データベース７０の撮影者Ｔの欄７１に撮影者Ｔ１等を記録すると共に、モード欄７４に「自分撮りモード」を記録する。
【００４９】
次に、上記の如く構成された装置の動作について図６に示すカメラ制御フローチャートに従って説明する。  
カメラ制御部３は、ステップＳ１０１において、電源がオン（ＯＮ）になったか否かを判定する。この判定の結果、電源がオンでないと、カメラ制御部３は、ステップＳ１１３において、スタンバイ状態に移行する。その後、カメラ制御部３は、ステップＳ１０１に戻る。
【００５０】
電源がオンになると、ステップＳ１０２において、撮影モードに設定されているか否かを判定する。この判定の結果、撮影モードでないと、ステップＳ１１４において、その他のモードの動作を行い、処理はステップＳ１０１に戻る。一方、撮影モードに設定されていると、カメラ制御部３は、ステップＳ１０３において、スルー画像を取得し、ステップＳ１０４において、当該スルー画像を表示部４に表示する。
【００５１】
顔認識部３４ａは、ステップＳ１２０において、撮影部２から出力される画像データ内から人物の顔部を認識し、当該顔部の画像データを抽出する。この顔部の画像データの抽出では、画像データ内に複数の顔部が存在すると、これら顔部の全ての画像データを抽出する。
【００５２】
撮影者判定部３４ｂは、ステップＳ１２１において、撮影モード検出部８０から出力される通常撮影モード信号又は自分撮りモード信号を取得し、自分撮りモードに設定されているか否かを判定する。なお、撮影モード検出部８０は、図５Ａに示すように装置本体１ａの背面側に重ね合わされた状態を検出すると、当該状態を通常撮影モードとして検出してその撮影モード信号を出力する。又、撮影モード検出部８０は、図５Ｃに示すように装置本体１ａに対して展開した状態を検出すると、当該状態を自分撮りモードとして検出してその自分撮りモード信号を出力する。なお、自分撮りモードで撮影された顔部は、カメラの所有者、又は撮影者の顔として記録するようにしても良い。
【００５３】
自分撮りモードに設定されているか否かの判定の結果、自分撮りモードであれば、処理はステップＳ１１０に進み、後述する撮影支援情報の提示は行われない。一方、自分撮りモードでなければ、撮影者判定部３４ｂは、ステップＳ１２２において、撮影制御部３１により画像処理された画像データ中に撮影者Ｔの顔部が認識されたか否かを判定する。なお、撮影者Ｔの顔部は、顔認識部３４ａにより認識される。
【００５４】
この判定の結果、撮影者Ｔの顔部が認識されれば、処理はステップＳ１１０に進み、後述する撮影支援情報の提示は行われない。一方、撮影者Ｔの顔部が認識されなければ、対象物判定部３４ｃは、ステップＳ１０６において、認識された顔部は、対象物である人物の顔部が被撮影者Ｑの顔部であると判定する。  
なお、上記実施の形態では、撮影者の顔情報を予め記録し、この記録された撮影者の顔情報と撮影状態で得られた顔情報とを比較判定することが前提になっているが、もし、撮影者の顔情報が予め記録されていなくとも、自分撮りでなく、同じ被写体ばかりが撮影されていれば、撮影者がずっと写っていないといったアドバイスを出せるような応用を行ってもよい。また、撮影しているのが誰であるかは、顔部の画像情報以外にも、音声や生体判定技術を利用してもよい。この場合、生体認証などの結果から顔部の画像判定が出来るような関連付けがなされていれば良い。また、被写体も音声で誰であるかを判定できる場合がある。
【００５５】
記録検索部３５は、ステップＳ１０７において、対象物判定部３４ｃにより抽出された例えば被撮影者Ｑ１を取得し、この被撮影者Ｑ１及び現在の撮影者Ｔ１が記録されているレコードをリストにおいて検索する。図４に示す例では記録検索部３５は、レコード「１」を被写体データベース７０から抽出し、かつ撮影された撮影日時「○年○月○日」を取得する。この検索の結果、記録検索部３５は、撮影日時「○年○月○日」に被撮影者Ｑ１と撮影者Ｔ１と一緒に撮影されている画像があると判定する。
【００５６】
支援部３６は、ステップＳ１０８において、記録検索部３５の検索結果、例えば被写体データベース７０に記録されていると判定された被撮影者Ｑ１と撮影者Ｔ１とが一緒に撮影された画像の撮影日時「○年○月○日」を取得する。この支援部３６は、当該撮影日時「○年○月○日」から現時点までの経過時間が、例えば１年以上経過しているかを判定する。この１年に対する時間的な感覚は、多くの人が、季節の移り変わりを一巡して懐かしいとか、久しぶりと思う基準になりうるが、もちろん、子供であれば１年での成長が大きく、年配の人であれば１年の差異は少ない、などという感覚の違いがある。恋人であれば1ヶ月も長く、親しさによっても変わりうるので、この所定値（所定期間）としての１年は、対象となる人物（被写体や撮影者）の年齢や、その関係によって変えられるようにしても良い。ゲーム的な要素を含める場合、ランダムであっても良い。  
この判定の結果、例えば１年（所定期間）以上経過していないとき、処理はステップＳ１１０に進む。一方、例えば１年以上経過していると、支援部３６は、ステップＳ１０９において、被撮影者Ｑ１と撮影者Ｔ１とが、一緒に撮影すること勧める支援情報を表示部４に表示させる。
【００５７】
カメラ制御部３は、ステップＳ１１０において、撮影者Ｔが操作部５のレリーズボタンを操作、すなわち撮影操作が行われたか否かを判定する。この判定の結果、レリーズボタンが操作されていないとき、処理はステップＳ１０１に戻る。一方、レリーズボタンが操作されると、カメラ制御部３は、ステップＳ１１１において、撮影動作を行う。すなわち、撮影部２は、被写体からの光像に対応する画像データを出力する。撮影制御部３１は、撮影部２から出力される画像データに対してホワイトバランス補正やガンマ補正などの必要に応じた画像処理を施し、レリーズボタンが操作された時点での画像処理の施された画像データを作成する。
【００５８】
ステップＳ１２５において、撮影者判定部３４ｂは、撮影は、自分撮りモードで行われ、かつ撮影制御部３１により画像処理された画像データ中に撮影者Ｔの顔部が一つであるか否か、すなわち、撮影者Ｔの一人が画像データ中に認識されるか否かを判定する。  
この判定の結果、自分撮りモードでかつ撮影者Ｔが一人であれば、撮影者判定部３４ｂは、ステップＳ１２６において、撮影部２から出力され、撮影制御部３１により画像処理された画像データ中に写っている人物の顔部が撮影者Ｔの顔部であると判定する。この撮影者判定部３４ｂは、被写体データベース７０の撮影者Ｔの欄７１に撮影者Ｔ１等を記録すると共に、モード欄７４に「自分撮りモード」を記録する。
【００５９】
上記ステップＳ１２５の判定の結果、自分撮りモードでかつ撮影者Ｔが一人でなければ、すなわち通常撮影モードで撮影が行われたり、写真に写っている人物が２人以上であったりすれば、撮影制御部３１は、ステップＳ１１２において、撮影された画像の画像データを記録部７に記録する。この撮影制御部３１は、画像データを記録部７に記録すると共に、同画像データの撮影日時、同画像データから認識された顔部の画像、当該顔部から認識される撮影者Ｔ又は被撮影者Ｑの分類、例えば被撮影者Ｑ１、及び通常撮影モードか自分撮りモードかといった撮影モード等を記録する。
【００６０】
このように上記第２の実施の形態によれば、撮影モード検出部８０によって表示部４の配置状態から自分撮りモードを検出するようにしたので、この自分撮りモード時では、撮影部２から出力されて撮影制御部３１により画像処理された画像データ中から人物の顔部を抽出すると、当該人物の顔部を撮影者Ｔの顔部として認識できる。従って、本実施の形態によれば、上記第１の実施の形態のように、人物の顔部が認識された位置が画像データのうち本装置１の背面側であるのか否かを判定し、この判定の結果に応じて人物の顔部が撮影者Ｔの顔部であると判定することがなく、撮影者Ｔを判定する処理量を軽減できる。
【００６１】
以上のようにして、認識された撮影者Ｔの顔に基づいて、撮影者Ｔと被撮影者Ｑとが最近一緒に撮影されたか否かの判定が行われ、最近一緒に撮影が行われていないときは、一緒に撮影を行うことを勧める支援情報が提示される。本実施形態によっても、撮影者Ｔと被撮影者Ｑとが長らく並んで一緒に写真を撮られていないという状況が避けられる。
［第３の実施の形態］  
次に、本発明の第３の実施の形態について図面を参照して説明する。なお、図１と同一部分には同一符号を付してその詳しい説明は省略する。  
図７は撮影支援装置を適用した撮影支援システムのブロック構成図を示す。この撮影支援システムは、例えばレンズ型カメラ等の撮影装置（以下、レンズ型カメラと称する）１００と、例えば携帯情報端末又はスマートフォン等の端末装置１０１とから成る。  
図８Ａ及び図８Ｂは本システムの外観図を示し、図８Ａは正面図を示し、図８Ｂは背面図を示す。端末装置１０１には、取り付け器具１０２を介してレンズ型カメラ１００が取り付けられる。取り付け器具１０２は、鉤型に形成され、その取付け平板１０３に凸状のレンズ取付け部１０４が設けられている。レンズ型カメラ１００は、レンズ取付け部１０４に対する係止により取り付けられる。
【００６２】
レンズ型カメラ１００は、図７に示すようにカメラ制御部３に対して撮影部２と、操作部５と、記録部７と、端末通信部８２とが接続されている。端末通信部８２は、端末装置１０１との間でデータ通信を行う。  
カメラ制御部３は、レンズ型カメラ１００の全体を制御するもので、撮影制御部３１と、操作制御部３３と、通信制御部８３とを有する。通信制御部８３は、端末通信部８２を駆動制御して端末装置１０１との間でデータ通信を行う。
【００６３】
一方、端末装置１０１は、コンピュータ等により成る端末制御部１０５を備え、この端末制御部１０５に対して撮影部９０と、カメラ通信部９１と、ネットワーク通信部９２と、表示操作部９３と、記録部９５とが接続されている。  
撮影部９０は、端末装置１０１の正面に設けられ、レンズを通して被写体を撮影してその画像信号を出力する。この撮影部９０は、いわゆるインカメラと称せられる。  
カメラ通信部９１は、レンズ型カメラ１００の端末通信部８２との間でデータ通信を行う。
【００６４】
ネットワーク通信部９２は、無線ＬＡＮや電話回線等を介して例えばインターネットに接続しデータ通信を行う。  
表示操作部９３は、例えば液晶ディスプレイ又は有機ＥＬディスプレイ等のディスプレイと、このディスプレイ上に設けられたタッチパネルとを有するもので、動画又は静止画等の画像を表示し、かつタッチパネルに対するタッチ操作を受けてその操作信号を出力する。  
記録部９５には、例えば、レンズ型カメラ１００の撮影により取得された画像と、端末装置１０１の撮影により取得された画像等とが記録される。又、この記録部９５には、被写体の情報が記録される被写体データベース９５ａが形成されている。この被写体データベース９５ａには、上記被写体データベース７０と同様に、撮影者Ｔの欄７１と、被撮影者Ｑを含む対象物の欄７２と、撮影日付の欄７３とが形成されている。なお、この被写体データベース７０ａには、モード欄７４が形成されてもよい。また、被写体データベース９５ａは、レンズ型カメラ１００の記録部７に記録されてもよい。
【００６５】
端末制御部１０５は、端末装置１０１の全体を制御するもので、被写体抽出部３４と、記録検索部３５と、支援部３６と、通信制御部３７とを有する。このうち被写体抽出部３４は、顔認識部３４ａと、撮影者判定部３４ｂと、対象物判定部３４ｃとを有する。  
次に、上記の如く構成されたシステムにおけるレンズ型カメラ１００の動作について図９に示すカメラ制御フローチャートに従って説明する。  
レンズ型カメラ１００のカメラ制御部３は、ステップＳ２００において、電源がオン（ＯＮ）になったか否かを判定し、この判定の結果、電源がオンでないと、ステップＳ２０２でスタンバイする。その後、カメラ制御部３はステップＳ２００に戻る。一方、電源がオンになると、ステップＳ２０１において、例えば端末装置１０１との間でのデータ通信が確立されるのを待つ。このデータ通信の確立は、端末通信部８２とカメラ通信部９１とを介してレンズ型カメラ１００の通信制御部８３と端末装置１０１の通信制御部３７との間で所定のプロトコルを行うことにより成立する。
【００６６】
カメラ制御部３は、ステップＳ２０３において、スルー画像を取得する。  
カメラ制御部３は、ステップＳ２０４において、端末装置１０１との間でデータ通信が確立したか否かを判定する。この判定の結果、データ通信が確立していないと、カメラ制御部３はステップＳ２０６に進む。一方、データ通信が確立すると、カメラ制御部３は、ステップＳ２０５において、スルー画像を通信制御部８３の制御によって端末通信部８２から端末装置１０１を送信先として送信する。
【００６７】
カメラ制御部３は、ステップＳ２０６において、撮影者Ｔが操作部５のレリーズボタンを操作したか、すなわち撮影操作が行われたか否かを判定する。この判定の結果、レリーズボタンが操作されていないと、カメラ制御部３はステップＳ２００に戻る。一方、レリーズボタンが操作されると、カメラ制御部３は、ステップＳ２０７において、撮影動作を行う。撮影制御部３１は、撮影部２から出力される画像データに対してホワイトバランス補正やガンマ補正などの画像処理を施す。カメラ制御部３は、ステップＳ２０８において、レリーズボタンが操作された時点での画像処理の施された画像データを記録部７に記録する。
【００６８】
一方、端末装置１０１の動作について図１０に示す端末制御フローチャートに従って説明する。  
端末制御部１０５は、ステップＳ３００において、初期画面を表示操作部９３のディスプレイに表示する。ステップＳ３０１において、レンズ型カメラ１００から送信された画像を表示するか否かを判定する。例えば初期画面に表示されている複数のアイコンのうち、レンズ型カメラ１００を用いた撮影を行うためのアイコンがタッチされたとき、カメラ画面に移行すると判定され、カメラ制御部３はステップＳ３０２に進む。例えば、他の機能を発揮するためのアイコンがタッチされたとき、カメラ画面は表示されず、ステップＳ３０５において、その他のモードの処理が実行される。その他のモードについては、説明を省略する。ステップＳ３０５の処理の後、カメラ制御部３は、ステップＳ３０１に戻る。
【００６９】
端末制御部１０５は、ステップＳ３０２において、上記レンズ型カメラ１００との間のデータ通信が確立した後、レンズ型カメラ１００から送信されたスルー画像をカメラ通信部９１を介して受信し、ステップＳ３０３において、表示操作部９３のディスプレイに表示するのに最適な画像とするための画像処理を行って同ディスプレイに表示する。  
図１１はレンズ型カメラ１００の撮影により取得されたスルー画像が端末装置１０１における表示操作部９３のディスプレイに表示されたところを示す。
【００７０】
端末制御部１０５は、ステップＳ３０４において、撮影部９０により例えば撮影者Ｔを撮影、すなわちインカメラ撮影する。このインカメラ撮影された画像データは、例えば記録部９５に記録される。  
顔認識部３４ａは、ステップＳ３１１において、スルー画像から人物の顔部を認識する。この顔部の認識では、複数の顔部が存在すれば、これら顔部を全て認識する。スルー画像中に人物の顔部が存在しなければ、顔認識部３４ａは、人物の顔部が存在しないと認識する。端末制御部１０５は、スルー画像中に人物の顔部が存在するか否かを判定し、顔部が存在しなければ、カメラ制御部３は、ステップＳ３２１に移り、顔部が存在すればステップＳ３１２に移る。
【００７１】
対象物判定部３４ｃは、ステップＳ３１２において、スルー画像中に存在する人物の顔部が例えば被撮影者Ｑ１の顔部であると判定する。なお、図８Ａ及び図８Ｂに示すように端末装置１０１にレンズ型カメラ１００を取り付けて撮影を行う場合、撮影者Ｔは、レンズ型カメラ１００を被撮影者Ｑ１に向け、表示操作部９３のディスプレイに表示される画像を見ながら撮影を行うので、レンズ型カメラ１００から送信されてきた画像データには、被撮影者Ｑ１の画像データが含まれる。
【００７２】
撮影者判定部３４ｂは、ステップＳ３１３において、上記インカメラ撮影により取得された画像データを記録部９５から読み出し、この画像データ中の顔部の大きさ（サイズ）を計測し、当該顔部の大きさが所定の大きさ以上であるか否かを判定し、かつ当該顔部が正面向きであるか否かを判定する。顔部の大きさが所定の大きさ以上でない、又は顔部が正面向きでないならば、処理はステップＳ３２１に移る。  
上記判定の結果、顔部の大きさが所定の大きさ以上で、かつ顔部が正面向きであれば、撮影者判定部３４ｂは、ステップＳ３１４において、インカメラ画像に含まれている顔部が撮影者Ｔ１の顔部であると判定する。
【００７３】
記録検索部３５は、ステップＳ３１５において、対象物判定部３４ｃにより判定された被撮影者Ｑ１と、撮影者判定部３４ｂにより判定された撮影者Ｔ１とが共に記録されているレコードを被写体データベース７０から検索する。この検索により記録検索部３５は、被写体データベース７０から撮影者Ｔ１及び被撮影者Ｑ１が共に撮影された撮影日時「○年○月○日」を取得する。
【００７４】
この記録検索部３５は、被写体データベース７０から撮影者Ｔ１及び被撮影者Ｑ１が共に撮影された撮影日時「○年○月○日」を検索するのに限ることはない。この記録検索部３５は、ネットワーク通信部９２を介し、ネットワーク上に存在するサーバとの間でデータ通信を行い、当該サーバに記録されている撮影者Ｔ１及び被撮影者Ｑ１が一緒に写っている画像を検索してもよい。
【００７５】
支援部３６は、記録検索部３５の検索結果、例えば被写体データベース７０に既に記録されていると判定された画像中の撮影者Ｔ１及び被撮影者Ｑ１とその撮影日時「○年○月○日」とを取得すると、当該撮影日時「○年○月○日」から現時点までの経過時間が、例えば１年以上経過しているかを判定する。  
この判定の結果、例えば１年以上経過していると、支援部３６は、撮影者Ｔ１及び被撮影者Ｑ１が再度、一緒に撮影することを勧める支援情報を表示操作部９３のディスプレイに表示する。  
図１２は一緒に撮影することを勧める支援情報の表示の一例を示す。この例では、例えば「２人で撮影お薦め」という文字と、撮影者Ｔ１の画像と被撮影者Ｑ１の画像とが表示操作部９３に表示されている。
【００７６】
撮影者Ｔ１及び被撮影者Ｑ１は、例えば支援の表示「２人で撮影お薦め」によって当人２人が一緒に撮影することを実行する。図１３は撮影者Ｔ１及び被撮影者Ｑ１による撮影状況の一例を示す。この撮影では、レンズ型カメラ１００が端末装置１０１から取り外され、例えば三脚１１０によって支持される。一方、端末装置１０１は、撮影者Ｔ１に携帯される。撮影者Ｔ１は、被撮影者Ｑ１と共にレンズ型カメラ１００の撮影範囲に入り、端末装置１０１を用いて撮影操作を行う。
【００７７】
カメラ制御部３は、ステップＳ３２１において、撮影者Ｔが表示操作部９３を用いて撮影操作が行われたか否かを判定する。  
この判定の結果、レリーズボタンが操作されると、端末制御部１０５は、ステップＳ３２２において、撮影指示を通信制御部３７によってカメラ通信部９１からレンズ型カメラ１００に向けて送信する。
【００７８】
レンズ型カメラ１００は、端末通信部８２を介して通信制御部８３によって端末装置１０１からの撮影指示を受信する。このレンズ型カメラ１００では、撮影部２は、被写体からの光像に対応する画像データを出力する。撮影制御部３１は、撮影部２から出力される画像データに対してホワイトバランス補正やガンマ補正などの画像処理を施し、レリーズボタンが操作された時点での画像処理の施された画像データを記録部７に記録する。
【００７９】
なお、端末制御部１０５は、被写体データベース７０に新たなリストを作成し、当該画像データに含まれる撮影者Ｔ１を同リストの撮影者Ｔの欄７１に記録し、撮影者Ｔ１と被撮影者Ｑ１とを同リストの被撮影者Ｑの欄７２に記録し、かつ当該画像データの撮影日時を同リストの撮影日付の欄７３に記録する。
【００８０】
このように上記第３の実施の形態によれば、レンズ型カメラ１００と、例えば携帯端末又はスマートフォン等の端末装置１０１との間でデータ通信を可能とし、かつレンズ型カメラ１００を端末装置１０１に取り付け可能とし、端末装置１０１を用いた操作によってレンズ型カメラ１００の撮影が制御される。
【００８１】
以上のような、レンズ型カメラ１００と端末装置１０１との組み合わせによってもカメラとして機能する。本実施形態によっても認識された撮影者の顔と被撮影者の顔とに基づいて、撮影者と被撮影者が最近一緒に撮影されたか否かの判定が行われ、最近一緒に撮影が行われていないときは、一緒に撮影を行うことを勧める支援情報が提示される。本実施形態によっても、撮影者と被撮影者とが並んで一緒に写真を長らく撮られていないという状況が起こることを避けられる。
また、本実施形態では、撮影者と被撮影者が一緒に撮影された画像を検索する対象の一例として、レンズ型カメラ１００の記録部７を挙げた。しかしながらこれに限らず、検索対象は、端末装置１０１の記録部９５や、例えばインターネットを介した接続されたデータベースであってもよい。  
上記所定期間としての「１年以上経過」の１年は、多くの人が、季節の移り変わりを一巡して懐かしいとか、久しぶりと思う基準になりうるが、もちろん、子供であれば１年での成長が大きく、年配の人であれば１年の差異は少ない、などという感覚の違いがある。時間経過の感覚は、恋人であれば1ヶ月も長く、親しさによっても変わりうるので、この所定値（所定期間）としての１年は、対象となる人物（被写体や撮影者）の年齢や、その関係によって変えられるようにしても良い。このような年齢情報や関係情報は、例えばソーシャル・ネットワーク・サービス（ＳＮＳ）などには有用な情報が多く、対象となる人間関係などに応じてもきめ細かい切換が可能である。  
また、ネットワーク上にアップロードされた画像なども含めて、より正確に他のカメラでの撮影状況も踏まえて、久しぶりの撮影をサポートできる。また、ネットワーク上の様々なサービスと連携して、撮影者や撮影シーンの特定などがより正確に可能で、例えば、この場所での撮影は久しぶり、といった応用も可能となる。ネットワーク上の画像やデータとスルー画像やデータを比較して、同じ場所でも季節が違うとか、背景が異なるといった判定も可能である。人物が並んで撮影するケースのみならず、撮影者に自分撮りを、特定の風景の前で行うような応用や、同じ場所でも、背景を変えた撮影が可能であることは言うまでもない。これは、ネットワーク上にある人気撮影スポットの情報や撮影ガイドのサービスなどとの連携によって可能となる。
【００８２】
又、レンズ型カメラ１００と端末装置１０１とは、互いにデータ通信が可能であるので、写真撮影の状況に応じてレンズ型カメラ１００と端末装置１０１とを別体で使用したり、互いに取り付けて使用することができる。レンズ型カメラ１００と端末装置１０１とを別体で使用する場合には、端末装置１０１からレンズ型カメラ１００による撮影を遠隔操作して、所望の写真を撮影することができる。
【００８３】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８４】
１：本装置、１ａ：装置本体、２：撮影部、３：カメラ制御部、４：表示部、５：操作部、６：プログラム格納部、７：記録部、２０：撮像光学系、２１：撮像素子、７０：被写体データベース（被写体ＤＢ）、７１：撮影者の欄、７２：対象物の欄、７３：撮影日付の欄、７４：モード欄、３１：撮影制御部、３２：表示制御部、３３：操作制御部、３４：被写体抽出部、３５：記録検索部、３６：支援部、３４ａ：顔認識部、３４ｂ：撮影者判定部、３４ｃ：対象物判定部、８０：撮影モード検出部、８２：端末通信部、８３：通信制御部、９０：撮影部、９１：カメラ通信部、９２：ネットワーク通信部、９３：表示操作部、９５：記録部、９５ａ：被写体データベース（被写体ＤＢ）、１００：レンズ型カメラ等の撮影装置（レンズ型カメラ）、１０１：端末装置、１０２：取り付け器具、１０３：取付け平板、１０４：レンズ取付け部、１０５：端末制御部。
【図１】
0006412743.tif 000002
【図２Ａ】
0006412743.tif 000003
【図２Ｂ】
0006412743.tif 000004
【図３】
0006412743.tif 000005
【図４】
0006412743.tif 000006
【図５Ａ】
0006412743.tif 000007
【図５Ｂ】
0006412743.tif 000008
【図５Ｃ】
0006412743.tif 000009
【図６】
0006412743.tif 000010
【図７】
0006412743.tif 000011
【図８Ａ】
0006412743.tif 000012
【図８Ｂ】
0006412743.tif 000013
【図９】
0006412743.tif 000014
【図１０】
0006412743.tif 000015
【図１１】
0006412743.tif 000016
【図１２】
0006412743.tif 000017
【図１３】
0006412743.tif 000018